(57)【要約】【課題】トレース収集ノードＴＣＥに対して、所望の「Ｉｍｍｅｄｉａｔｅ  ＭＤＴ」用の「Ｍｅａｓｕｒｅｍｅｎｔ  Ｒｅｐｏｒｔ」のみを転送する。【解決手段】本発明に係る移動通信方法は、無線基地局ｅＮＢが、トレース収集ノードＴＣＥに対して、測定対象エリア内の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送する工程と、無線基地局ｅＮＢが、トレース収集ノードＴＣＥに対して、測定対象エリア外の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送しない工程とを有する。【選択図】図４
2012222619.tif 000002
【特許請求の範囲】
【請求項１】
接続状態の移動局が、測定設定情報に基づいて、無線基地局に対して、測定走行試験用の測定報告を送信する移動通信方法であって、
前記無線基地局が、所定ノードに対して、測定対象エリア内の前記移動局から受信した前記測定走行試験用の測定報告を転送する工程と、
前記無線基地局が、前記所定ノードに対して、前記測定対象エリア外の前記移動局から受信した前記測定走行試験用の測定報告を転送しない工程とを有することを特徴とする移動通信方法。
【請求項２】
前記無線基地局は、前記移動局が前記測定対象エリア外に出たことを検出した場合であっても、該移動局に対して前記測定設定情報を削除するように指示しないことを特徴とする請求項１に記載の移動通信方法。
【請求項３】
前記無線基地局は、運用保守サーバから受信した測定走行試験用の測定設定情報に基づいて、前記移動局から受信した測定報告が前記測定走行試験用の測定報告であるか否かについて判定することを特徴とする請求項１に記載の移動通信方法。
【請求項４】
接続状態の移動局が、測定設定情報に基づいて、測定走行試験用の測定報告を送信するように構成されている移動通信システムにおいて用いられる無線基地局であって、
所定ノードに対して、測定対象エリア内の前記移動局から受信した前記測定走行試験用の測定報告を転送するように構成されている転送部を具備しており、
前記転送部は、前記所定ノードに対して、前記測定対象エリア外の前記移動局から受信した前記測定走行試験用の測定報告を転送しないように構成されていることを特徴とする無線基地局。
【請求項５】
前記移動局が前記測定対象エリア外に出たことを検出した場合であっても、該移動局に対して前記測定設定情報を削除するように指示しないように構成されている送信部を具備することを特徴とする請求項４に記載の無線基地局。
【請求項６】
運用保守サーバから受信した測定走行試験用の測定設定情報に基づいて、前記移動局から受信した測定報告が前記測定走行試験用の測定報告であるか否かについて判定するように構成されている判定部を具備することを特徴とする請求項４に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、測定対象エリア内の移動局ＵＥから、実環境における所定無線品質の測定結果を収集することによって、走行試験（Ｄｒｉｖｅ  Ｔｅｓｔ）による手間やコストを削減する「ＭＤＴ（Ｍｉｎｉｍｉｓａｔｉｏｎ  ｏｆ  Ｄｒｉｖｅ  Ｔｅｓｔｓ、測定走行試験）」という手法が規定されている。
【０００３】
かかるＭＤＴのうち、「Ｉｍｍｅｄｉａｔｅ  ＭＤＴ」では、「Ｃｏｎｎｅｃｔｅｄ状態」の移動局ＵＥが、現状のＲＲＭ（Ｒａｄｉｏ  Ｒｅｓｏｕｒｃｅ  Ｍａｎａｇｅｍｅｎｔ）用の「Ｍｅａｓｕｒｅｍｅｎｔ  Ｃｏｎｆｉｇｕｒａｔｉｏｎ（測定設定情報）」に応じて、ネットワークに対して、所定無線品質の測定結果及び移動局ＵＥの位置情報（Ｌｏｃａｔｉｏｎ  Ｉｎｆｏｒｍａｔｉｏｎ）を含む「Ｉｍｍｅｄｉａｔｅ  ＭＤＴ」用の「Ｍｅａｓｕｒｅｍｅｎｔ  Ｒｅｐｏｒｔ」を送信するように構成されている。
【先行技術文献】
【非特許文献】
【０００４】
【非特許文献１】３ＧＰＰ  ＴＲ３６.８０５、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；  Ｓｔｕｄｙ  ｏｎ  ｍｉｎｉｍｉｚａｔｉｏｎ  ｏｆ  ｄｒｉｖｅ-ｔｅｓｔｓ  ｉｎ  ｎｅｘｔ  ｇｅｎｅｒａｔｉｏｎ  ｎｅｔｗｏｒｋｓ」
【非特許文献２】３ＧＰＰ  ＴＳ３７.３２０、「Ｒａｄｉｏ  ｍｅａｓｕｒｅｍｅｎｔ  ｃｏｌｌｅｃｔｉｏｎ  ｆｏｒ  ＭＤＴ」
【非特許文献３】３ＧＰＰ  ＴＳ３６.３３１、「Ｒａｄｉｏ  Ｒｅｓｏｕｒｃｅ  Ｃｏｎｔｒｏｌ（ＲＲＣ）Ｐｒｏｔｏｃｏｌ  Ｓｐｅｃｉｆｉｃａｔｉｏｎ」
【非特許文献４】３ＧＰＰ  ＴＳ３６.４１３、「Ｓ１  Ａｐｐｌｉｃａｔｉｏｎ  Ｐｒｏｔｏｃｏｌ（Ｓ１ＡＰ）」
【発明の概要】
【発明が解決しようとする課題】
【０００５】
しかしながら、従来の「Ｉｍｍｅｄｉａｔｅ  ＭＤＴ」では、無線基地局ｅＮＢは、ＭＤＴの測定対象エリア外の移動局ＵＥから「Ｉｍｍｅｄｉａｔｅ  ＭＤＴ」用の「Ｍｅａｓｕｒｅｍｅｎｔ  Ｒｅｐｏｒｔ」を受信した場合には、所望の「Ｉｍｍｅｄｉａｔｅ  ＭＤＴ」用の「Ｍｅａｓｕｒｅｍｅｎｔ  Ｒｅｐｏｒｔ」ではないにも関わらず、トレース収集ノードＴＣＥ（Ｔｒａｃｅ  Ｃｏｌｌｅｃｔｉｏｎ  Ｅｎｔｉｔｙ）に対して、かかる「Ｉｍｍｅｄｉａｔｅ  ＭＤＴ」用の「Ｍｅａｓｕｒｅｍｅｎｔ  Ｒｅｐｏｒｔ」を転送してしまうという問題点があった。
【０００６】
そこで、本発明は、上述の課題に鑑みてなされたものであり、トレース収集ノードＴＣＥに対して、所望の「Ｉｍｍｅｄｉａｔｅ  ＭＤＴ」用の「Ｍｅａｓｕｒｅｍｅｎｔ  Ｒｅｐｏｒｔ」のみを転送することができる移動通信方法及び無線基地局を提供することを目的とする。
【課題を解決するための手段】
【０００７】
本発明の第１の特徴は、接続状態の移動局が、測定設定情報に基づいて、無線基地局に対して、測定走行試験用の測定報告を送信する移動通信方法であって、前記無線基地局が、所定ノードに対して、測定対象エリア内の前記移動局から受信した前記測定走行試験用の測定報告を転送する工程と、前記無線基地局が、前記所定ノードに対して、前記測定対象エリア外の前記移動局から受信した前記測定走行試験用の測定報告を転送しない工程とを有することを要旨とする。
【０００８】
本発明の第２の特徴は、接続状態の移動局が、測定設定情報に基づいて、測定走行試験用の測定報告を送信するように構成されている移動通信システムにおいて用いられる無線基地局であって、所定ノードに対して、測定対象エリア内の前記移動局から受信した前記測定走行試験用の測定報告を転送するように構成されている転送部を具備しており、前記転送部は、前記所定ノードに対して、前記測定対象エリア外の前記移動局から受信した前記測定走行試験用の測定報告を転送しないように構成されていることを要旨とする。
【発明の効果】
【０００９】
以上説明したように、本発明によれば、トレース収集ノードＴＣＥに対して、所望の「Ｉｍｍｅｄｉａｔｅ  ＭＤＴ」用の「Ｍｅａｓｕｒｅｍｅｎｔ  Ｒｅｐｏｒｔ」のみを転送することができる移動通信方法及び無線基地局を提供することができる。
【図面の簡単な説明】
【００１０】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムの動作を説明するための図である。
【図４】本発明の第１の実施形態に係る無線基地局の動作を示すフローチャートである。
【発明を実施するための形態】
【００１１】
（本発明の第１の実施形態に係る移動通信システム）
図１乃至図４を参照して、本発明の第１の実施形態に係る移動通信システムについて説明する。
【００１２】
図１に示すように、本実施形態に係る移動通信システムは、トレース収集ノードＴＣＥと、Ｏ＆Ｍ（Ｏｐｅｒａｔｉｏｎ  ＆  Ｍａｉｎｔｅｎａｎｃｅ）サーバ（運用保守サーバ）と、移動管理ノードＭＭＥ（Ｍｏｂｉｌｉｔｙ  Ｍａｎａｇｅｍｅｎｔ  Ｅｎｔｉｔｙ）と、無線基地局ｅＮＢとを具備している。
【００１３】
本実施形態に係る移動通信システムでは、「Ｃｏｎｎｅｃｔｅｄ状態」の移動局ＵＥが、「Ｍｅａｓｕｒｅｍｅｎｔ  Ｃｏｎｆｉｇｕｒａｔｉｏｎ」に基づいて、無線基地局ｅＮＢに対して、「Ｉｍｍｅｄｉａｔｅ  ＭＤＴ」用の「Ｍｅａｓｕｒｅｍｅｎｔ  Ｒｅｐｏｒｔ」、すなわち、所定無線品質の測定結果及び移動局ＵＥの位置情報を含む「Ｍｅａｓｕｒｅｍｅｎｔ  Ｒｅｐｏｒｔ」を送信するように構成されている。
【００１４】
なお、本実施形態に係る移動通信システムでは、「Ｃｏｎｎｅｃｔｅｄ状態」の移動局ＵＥは、「Ｍｅａｓｕｒｅｍｅｎｔ  Ｃｏｎｆｉｇｕｒａｔｉｏｎ」によって規定されている測定条件を満たす場合には、測定対象エリア内にいる場合だけでなく、測定対象エリア外にいる場合であっても、無線基地局ｅＮＢに対して、「Ｉｍｍｅｄｉａｔｅ  ＭＤＴ」用の「Ｍｅａｓｕｒｅｍｅｎｔ  Ｒｅｐｏｒｔ」を送信するように構成されている。
【００１５】
図２に示すように、無線基地局ｅＮＢは、受信部１１と、判定部１２と、転送部１３と、送信部１４とを具備している。
【００１６】
受信部１１は、移動局ＵＥから、「Ｍｅａｓｕｒｅｍｅｎｔ  Ｒｅｐｏｒｔ」を受信するように構成されている。
【００１７】
また、受信部１１は、Ｏ＆Ｍサーバから、Ｓ１メッセージ又はＸ２メッセージを介して、「ＭＤＴ  Ｃｏｎｆｉｇｕｒａｔｉｏｎ」を含む「Ｔｒａｃｅ  Ａｃｔｉｖａｔｉｏｎ」を受信するように構成されている。
【００１８】
かかる「ＭＤＴ  Ｃｏｎｆｉｇｕｒａｔｉｏｎ」は、「Ｉｍｍｅｄｉａｔｅ  ＭＤＴ」用の測定実行条件や測定項目や「Ｍｅａｓｕｒｅｍｅｎｔ  Ｒｅｐｏｒｔ」に関わるパラメータを指定するように構成されている。
【００１９】
また、かかる「ＭＤＴ  Ｃｏｎｆｉｇｕｒａｔｉｏｎ」は、「Ａｒｅａ  ｓｃｏｐｅ」によって測定対象エリアを指定するように構成されている。
【００２０】
なお、「Ａｒｅａ  ｓｃｏｐｅ」は、セルベースで測定対象エリアを指定してもよいし、トラッキングエリア（ＴＡ：Ｔｒａｃｋｉｎｇ  Ａｒｅａ）ベースで測定対象エリアを指定してもよいし、全てのエリアとして測定対象エリアを指定してもよい。
【００２１】
判定部１２は、移動局ＵＥから受信した「Ｍｅａｓｕｒｅｍｅｎｔ  Ｒｅｐｏｒｔ」を、トレース収集ノードＴＣＥに対して転送するべきか否かについて判定するように構成されている。
【００２２】
ここで、判定部１２は、移動局ＵＥが測定対象エリア内にいるか、或いは、移動局ＵＥが測定対象エリア外にいるかについて判定するように構成されていてもよい。
【００２３】
また、判定部１２は、移動局ＵＥから受信した「Ｍｅａｓｕｒｅｍｅｎｔ  Ｒｅｐｏｒｔ」が「Ｉｍｍｅｄｉａｔｅ  ＭＤＴ」用の「Ｍｅａｓｕｒｅｍｅｎｔ  Ｒｅｐｏｒｔ」であるか否かについて判定するように構成されていてもよい。
【００２４】
例えば、判定部１２は、Ｏ＆Ｍサーバから受信した「Ｉｍｍｅｄｉａｔｅ  ＭＤＴ」用の「ＭＤＴ  Ｃｏｎｆｉｇｕｒａｔｉｏｎ」に基づいて、移動局ＵＥから受信した「Ｍｅａｓｕｒｅｍｅｎｔ  Ｒｅｐｏｒｔ」が「Ｉｍｍｅｄｉａｔｅ  ＭＤＴ」用の「Ｍｅａｓｕｒｅｍｅｎｔ  Ｒｅｐｏｒｔ」であるか否かについて判定するように構成されていてもよい。
【００２５】
具体的には、判定部１２は、ＲＲＣメッセージを用いて移動局ＵＥに対して「Ｉｍｍｅｄｉａｔｅ  ＭＤＴ」用の「Ｍｅａｓｕｒｅｍｅｎｔ  Ｃｏｎｆｉｇｕｒａｔｉｏｎ」を設定した際に割り当てた「Ｍｅａｓｕｒｅｍｅｎｔ  ＩＤ」と、移動局ＵＥから受信した「Ｍｅａｓｕｒｅｍｅｎｔ  Ｒｅｐｏｒｔ」に含まれる「Ｍｅａｓｕｒｅｍｅｎｔ  ＩＤ」とが一致する場合、移動局ＵＥから受信した「Ｍｅａｓｕｒｅｍｅｎｔ  Ｒｅｐｏｒｔ」が「Ｉｍｍｅｄｉａｔｅ  ＭＤＴ」用の「Ｍｅａｓｕｒｅｍｅｎｔ  Ｒｅｐｏｒｔ」であるか否かについて判定するように構成されていてもよい。
【００２６】
ここで、移動局ＵＥに対して「Ｉｍｍｅｄｉａｔｅ  ＭＤＴ」用の「Ｍｅａｓｕｒｅｍｅｎｔ  Ｃｏｎｆｉｇｕｒａｔｉｏｎ」は、無線基地局ｅＮＢによってＯ＆Ｍサーバから受信した「ＭＤＴ  Ｃｏｎｆｉｇｕｒａｔｉｏｎ」によって指定される「Ｉｍｍｅｄｉａｔｅ  ＭＤＴ」用の「ＭＤＴ  Ｃｏｎｆｉｇｕｒａｔｉｏｎ」に基づいて設定される。
【００２７】
転送部１３は、トレース収集ノードＴＣＥに対して、測定対象エリア内の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送するように構成されている。
【００２８】
また、転送部１３は、トレース収集ノードＴＣＥに対して、測定対象エリア外の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送しないように構成されている。
【００２９】
なお、転送部１３は、所定の設定が行われている場合等には、測定対象エリア外の移動局ＵＥから受信した「Ｉｍｍｅｄｉａｔｅ  ＭＤＴ」用の「Ｍｅａｓｕｒｅｍｅｎｔ  Ｒｅｐｏｒｔ」について、トレース収集ノードＴＣＥに対して転送するように構成されていてもよい。
【００３０】
送信部１４は、「Ｃｏｎｎｅｃｔｅｄ状態」の移動局ＵＥに対して、所定無線品質を測定するように指示する、すなわち、測定条件を規定する「Ｍｅａｓｕｒｅｍｅｎｔ  Ｃｏｎｆｉｇｕｒａｔｉｏｎ」を含む「ＲＲＣＣｏｎｎｅｃｔｉｏｎＲｅｃｏｎｆｉｇｕｒａｔｉｏｎメッセージ」を送信するように構成されている。
【００３１】
また、移動局ＵＥが測定対象エリア外に出たことが検出された場合であっても、送信部１４は、移動局ＵＥに対して、上述の「Ｍｅａｓｕｒｅｍｅｎｔ  Ｃｏｎｆｉｇｕｒａｔｉｏｎ」を削除するように指示しないように構成されていてもよい。
【００３２】
以下、図３を参照して、本実施形態に係る移動通信システムの動作について説明する。
【００３３】
図３の例では、事前に、無線基地局ｅＮＢは、Ｏ＆Ｍサーバから受信した「ＭＤＴ  Ｃｏｎｆｉｇｕｒａｔｉｏｎ」に基づいて、移動局ＵＥに対して、「Ｍｅａｓｕｒｅｍｅｎｔ  Ｃｏｎｆｉｇｕｒａｔｉｏｎ」を含む「ＲＲＣＣｏｎｎｅｃｔｉｏｎＲｅｃｏｎｆｉｇｕｒａｔｉｏｎメッセージ」を送信しているものとする。
【００３４】
図３に示すように、ステップＳ１０１において、「Ｃｏｎｎｅｃｔｅｄ状態」の移動局ＵＥは、測定対象エリア内にいる場合に、かかる「Ｍｅａｓｕｒｅｍｅｎｔ  Ｃｏｎｆｉｇｕｒａｔｉｏｎ」によって規定されている測定条件を満たすと、無線基地局ｅＮＢに対して、「Ｉｍｍｅｄｉａｔｅ  ＭＤＴ」用の「Ｍｅａｓｕｒｅｍｅｎｔ  Ｒｅｐｏｒｔ」を送信する。
【００３５】
ステップＳ１０２において、無線基地局ｅＮＢは、トレース収集ノードＴＣＥに対して、測定対象エリア内の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送する。
【００３６】
ステップＳ１０３において、移動局ＵＥは、測定対象エリア内から測定対象エリア外に出る。
【００３７】
この際、無線基地局ｅＮＢは、移動局ＵＥが測定対象エリア外に出たことを検出した場合であっても、移動局ＵＥに対して、上述の「Ｍｅａｓｕｒｅｍｅｎｔ  Ｃｏｎｆｉｇｕｒａｔｉｏｎ」を削除するように指示しないものとする。
【００３８】
ステップＳ１０４において、「Ｃｏｎｎｅｃｔｅｄ状態」の移動局ＵＥは、測定対象エリア外にいる場合であっても、かかる「Ｍｅａｓｕｒｅｍｅｎｔ  Ｃｏｎｆｉｇｕｒａｔｉｏｎ」によって規定されている測定条件を満たすと、無線基地局ｅＮＢに対して、「Ｉｍｍｅｄｉａｔｅ  ＭＤＴ」用の「Ｍｅａｓｕｒｅｍｅｎｔ  Ｒｅｐｏｒｔ」を送信する。
【００３９】
ステップＳ１０５において、無線基地局ｅＮＢは、トレース収集ノードＴＣＥに対して、測定対象エリア外の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送しない。
【００４０】
ここで、図４を参照して、本実施形態に係る無線基地局ｅＮＢが上述の判定を行う際の動作について説明する。
【００４１】
図４に示すように、無線基地局ｅＮＢは、ステップＳ２０１において、移動局ＵＥから「Ｍｅａｓｕｒｅｍｅｎｔ  Ｒｅｐｏｒｔ」を受信すると、ステップＳ２０２において、Ｏ＆Ｍサーバから、Ｓ１メッセージ又はＸ２メッセージを介して、「ＭＤＴ  Ｃｏｎｆｉｇｕｒａｔｉｏｎ」を含む「Ｔｒａｃｅ  Ａｃｔｉｖａｔｉｏｎ」を受信しているか否かについて判定する。
【００４２】
「Ｙｅｓ」の場合、本動作は、ステップＳ２０３に進み、「Ｎｏ」の場合には、本動作は、ステップＳ２０５に進み、特段の処理を行うことなく終了する。
【００４３】
ステップＳ２０３において、無線基地局ｅＮＢは、移動局ＵＥから受信した「Ｍｅａｓｕｒｅｍｅｎｔ  Ｒｅｐｏｒｔ」が「Ｉｍｍｅｄｉａｔｅ  ＭＤＴ」用の「Ｍｅａｓｕｒｅｍｅｎｔ  Ｒｅｐｏｒｔ」であるか否かについて判定する。
【００４４】
具体的には、無線基地局ｅＮＢは、移動局ＵＥから受信した「Ｍｅａｓｕｒｅｍｅｎｔ  Ｒｅｐｏｒｔ」に含まれる「Ｍｅａｓｕｒｅｍｅｎｔ  ＩＤ」が、ＲＲＣメッセージを用いて移動局ＵＥに対して「Ｉｍｍｅｄｉａｔｅ  ＭＤＴ」用の「Ｍｅａｓｕｒｅｍｅｎｔ  Ｃｏｎｆｉｇｕｒａｔｉｏｎ」を設定した際に割り当てた「Ｍｅａｓｕｒｅｍｅｎｔ  ＩＤ」に一致するか否かについて判定する。
【００４５】
「Ｙｅｓ」の場合、本動作は、ステップＳ２０４に進み、「Ｎｏ」の場合には、本動作は、ステップＳ２０５に進み、特段の処理を行うことなく終了する。
【００４６】
ステップＳ２０４において、無線基地局ｅＮＢは、Ｏ＆Ｍサーバから受信した「ＭＤＴ  Ｃｏｎｆｉｇｕｒａｔｉｏｎ」によって指定される「Ａｒｅａ  ｓｃｏｐｅ」が、セルベース又はトラッキングエリアベースで測定対象エリアを指定することになっているか否かについて判定する。
【００４７】
「Ｙｅｓ」の場合、本動作は、ステップＳ２０６に進み、「Ｎｏ」の場合には、本動作は、ステップＳ２０５に進み、特段の処理を行うことなく終了する。
【００４８】
ステップＳ２０６において、無線基地局ｅＮＢは、移動局ＵＥが測定対象エリア内にいるか否かについて判定する。
【００４９】
具体的には、無線基地局ｅＮＢは、移動局ＵＥが、上述の「Ａｒｅａ  ｓｃｏｐｅ」内のセルに接続されているか否かについて判定する。
【００５０】
「Ｙｅｓ」の場合、本動作は、ステップＳ２０７に進み、「Ｎｏ」の場合には、本動作は、ステップＳ２０８に進む。
【００５１】
ステップＳ２０７において、無線基地局ｅＮＢは、移動局ＵＥから受信した「Ｍｅａｓｕｒｅｍｅｎｔ  Ｒｅｐｏｒｔ」、すなわち、「Ｉｍｍｅｄｉａｔｅ  ＭＤＴ」用の「Ｍｅａｓｕｒｅｍｅｎｔ  Ｒｅｐｏｒｔ」を、トレース収集ノードＴＣＥに対して転送する。
【００５２】
ステップＳ２０８において、無線基地局ｅＮＢは、移動局ＵＥから受信した「Ｍｅａｓｕｒｅｍｅｎｔ  Ｒｅｐｏｒｔ」を、トレース収集ノードＴＣＥに対して転送しない。
【００５３】
本実施形態に係る移動通信システムによれば、無線基地局ｅＮＢは、測定対象エリア内の移動局ＵＥから受信した「Ｉｍｍｅｄｉａｔｅ  ＭＤＴ」用の「Ｍｅａｓｕｒｅｍｅｎｔ  Ｒｅｐｏｒｔ」のみを、トレース収集ノードＴＣＥに転送することができるため、トレース収集ノードＴＣＥにおいて、不要な「Ｍｅａｓｕｒｅｍｅｎｔ  Ｒｅｐｏｒｔ」を抽出して削除するという無駄な処理を行うことを回避することができる。
【００５４】
以上に述べた本実施形態の特徴は、以下のように表現されていてもよい。
【００５５】
本実施形態の第１の特徴は、「Ｃｏｎｎｅｃｔｅｄ状態（接続状態）」の移動局ＵＥが、「Ｍｅａｓｕｒｅｍｅｎｔ  Ｃｏｎｆｉｇｕｒａｔｉｏｎ（測定設定情報）」に基づいて、無線基地局ｅＮＢに対して、「Ｉｍｍｅｄｉａｔｅ  ＭＤＴ」用の「Ｍｅａｓｕｒｅｍｅｎｔ  Ｒｅｐｏｒｔ（測定報告）」を送信する移動通信方法であって、無線基地局ｅＮＢが、トレース収集ノードＴＣＥ（所定ノード）に対して、測定対象エリア内の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送する工程と、無線基地局ｅＮＢが、トレース収集ノードＴＣＥに対して、測定対象エリア外の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送しない工程とを有することを要旨とする。
【００５６】
本実施形態の第１の特徴において、無線基地局ｅＮＢは、移動局ＵＥが測定対象エリア外に出たことを検出した場合であっても、かかる移動局ＵＥに対して、上述の「Ｍｅａｓｕｒｅｍｅｎｔ  Ｃｏｎｆｉｇｕｒａｔｉｏｎ」を削除するように指示しなくてもよい。
【００５７】
本実施形態の第１の特徴において、無線基地局ｅＮＢは、Ｏ＆Ｍサーバ（運用保守サーバ）から受信した「Ｉｍｍｅｄｉａｔｅ  ＭＤＴ」用の「ＭＤＴ  Ｃｏｎｆｉｇｕｒａｔｉｏｎ」（測定走行試験用の測定設定情報）に基づいて、移動局ＵＥから受信した「Ｍｅａｓｕｒｅｍｅｎｔ  Ｒｅｐｏｒｔ」が「Ｉｍｍｅｄｉａｔｅ  ＭＤＴ」用の「Ｍｅａｓｕｒｅｍｅｎｔ  Ｒｅｐｏｒｔ」であるか否かについて判定してもよい。
【００５８】
本実施形態の第２の特徴は、「Ｃｏｎｎｅｃｔｅｄ状態」の移動局ＵＥが、「Ｍｅａｓｕｒｅｍｅｎｔ  Ｃｏｎｆｉｇｕｒａｔｉｏｎ」に基づいて、「Ｉｍｍｅｄｉａｔｅ  ＭＤＴ」用の「Ｍｅａｓｕｒｅｍｅｎｔ  Ｒｅｐｏｒｔ」を送信するように構成されている移動通信システムにおいて用いられる無線基地局ｅＮＢであって、トレース収集ノードＴＣＥに対して、測定対象エリア内の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送するように構成されている転送部１３を具備しており、転送部１３は、トレース収集ノードＴＣＥに対して、測定対象エリア外の移動局ＵＥから受信した「Ｉｍｍｅｄｉａｔｅ  ＭＤＴ」用の「Ｍｅａｓｕｒｅｍｅｎｔ  Ｒｅｐｏｒｔ」を転送しないように構成されていることを要旨とする。
【００５９】
本実施形態の第２の特徴において、移動局ＵＥが測定対象エリア外に出たことを検出した場合であっても、移動局ＵＥに対して、上述の「Ｍｅａｓｕｒｅｍｅｎｔ  Ｃｏｎｆｉｇｕｒａｔｉｏｎ」を削除するように指示しないように構成されている送信部１４を具備してもよい。
【００６０】
本実施形態の第２の特徴において、Ｏ＆Ｍサーバから受信した「Ｉｍｍｅｄｉａｔｅ  ＭＤＴ」用の「ＭＤＴ  Ｃｏｎｆｉｇｕｒａｔｉｏｎ」に基づいて、移動局ＵＥから受信した「Ｍｅａｓｕｒｅｍｅｎｔ  Ｒｅｐｏｒｔ」が「Ｉｍｍｅｄｉａｔｅ  ＭＤＴ」用の「Ｍｅａｓｕｒｅｍｅｎｔ  Ｒｅｐｏｒｔ」であるか否かについて判定するように構成されている判定部１２を具備してもよい。
【００６１】
なお、上述のＯ＆Ｍサーバやトレース収集ノードＴＣＥや移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、Ｏ＆Ｍサーバやトレース収集ノードＴＣＥや移動管理ノードＭＭＥや無線基地局ｅＮＢや移動局ＵＥ内に設けられていてもよい。また、かかる記憶媒体及びプロセッサは、ディスクリートコンポーネントとしてＯ＆Ｍサーバやトレース収集ノードＴＣＥや移動管理ノードＭＭＥや無線基地局ｅＮＢや移動局ＵＥ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６５】
ＵＥ…移動局
ＭＭＥ…移動管理ノード
ＴＣＥ…トレース収集ノード
ｅＮＢ…無線基地局
１１…受信部
１２…判定部
１３…転送部
１４…送信部
【図１】
2012222619.tif 000003
【図２】
2012222619.tif 000004
【図３】
2012222619.tif 000005
【図４】
2012222619.tif 000006